(57)【要約】【課題】シングルライブワイヤ電気取得装置及びその制御方法を提供すること。【解決手段】本発明はシングルライブワイヤ電気取得装置及びその制御方法に係り、装置は、第１の機械スイッチと第２の機械スイッチとシングルライブワイヤ電気取得回路を含み、第１の機械スイッチは、第１の接点がライブワイヤ入力端に接続し第３の接点が第１の調光回路に接続し、第５の接点が第１のライブワイヤ出力端及び第１の調光回路端に接続し、第２の機械スイッチは、第１の接点がライブワイヤ入力端に接続し第３の接点が第２の調光回路の第１端に接続し第５の接点が第２のライブワイヤ出力端及び第２の調光回路に接続し第６の接点が第１の機械スイッチの第２の接点に接続しシングルライブワイヤ電気取得回路は、第１端がライブワイヤ入力端に接続し第２端が第２の機械スイッチの第２の接点に接続し第３端が第１の調光回路に接続し第４端が第２の調光回路に接続する。【選択図】図２
2018060767.tif 000002
【特許請求の範囲】
【請求項１】
第１側の第１の接点がライブワイヤ入力端に接続し、第２側の第３の接点が第１の調光回路の第１端に接続し、第２側の第５の接点が第１のライブワイヤ出力端及び前記第１の調光回路の第２端に接続する第１の機械スイッチと、
第１側の第１の接点が前記ライブワイヤ入力端に接続し、第２側の第３の接点が第２の調光回路の第１端に接続し、第２側の第５の接点が第２のライブワイヤ出力端及び前記第２の調光回路の第２端に接続し、第２側の第６の接点が前記第１の機械スイッチの第１側の第２の接点に接続する第２の機械スイッチと、
第１端が前記ライブワイヤ入力端に接続し、第２端が前記第２の機械スイッチの第１側の第２の接点に接続し、第３端が前記第１の調光回路の第３端に接続し、第４端が前記第２の調光回路の第３端に接続するシングルライブワイヤ電気取得回路と、
を含むことを特徴とするシングルライブワイヤ電気取得装置。
【請求項２】
前記第１の機械スイッチと前記第２の機械スイッチは、いずれも双極双投の機械スイッチであることを特徴とする請求項１に記載のシングルライブワイヤ電気取得装置。
【請求項３】
前記第１の機械スイッチと前記第２の機械スイッチがいずれも遮断された場合、前記第１の機械スイッチの第１側の第１の接点は、前記第１の機械スイッチの第２側の第４の接点に接続し、前記第１の機械スイッチの第１側の第２の接点は、前記第１の機械スイッチの第２側の第６の接点に接続し、前記第２の機械スイッチの第１側の第１の接点は、前記第２の機械スイッチの第２側の第４の接点に接続し、前記第２の機械スイッチの第１側の第２の接点は、前記第２の機械スイッチの第２側の第６の接点に接続することを特徴とする請求項１に記載のシングルライブワイヤ電気取得装置。
【請求項４】
前記第１の機械スイッチが閉合され且つ前記第２の機械スイッチが遮断された場合、前記第１の機械スイッチの第１側の第１の接点は、前記第１の機械スイッチの第２側の第３の接点に接続し、前記第１の機械スイッチの第１側の第２の接点は、前記第１の機械スイッチの第２側の第５の接点に接続し、前記第２の機械スイッチの第１側の第１の接点は、前記第２の機械スイッチの第２側の第４の接点に接続し、前記第２の機械スイッチの第１側の第２の接点は、前記第２の機械スイッチの第２側の第６の接点に接続することを特徴とする請求項１に記載のシングルライブワイヤ電気取得装置。
【請求項５】
前記第１の機械スイッチが遮断され且つ前記第２の機械スイッチが閉合された場合、前記第１の機械スイッチの第１側の第１の接点は、前記第１の機械スイッチの第２側の第４の接点に接続し、前記第１の機械スイッチの第１側の第２の接点は、前記第１の機械スイッチの第２側の第６の接点に接続し、前記第２の機械スイッチの第１側の第１の接点は、前記第２の機械スイッチの第２側の第３の接点に接続し、前記第２の機械スイッチの第１側の第２の接点は、前記第２の機械スイッチの第２側の第５の接点に接続することを特徴とする請求項１に記載のシングルライブワイヤ電気取得装置。
【請求項６】
前記第１の機械スイッチと前記第２の機械スイッチがいずれも閉合された場合、前記第１の機械スイッチの第１側の第１の接点は、前記第１の機械スイッチの第２側の第３の接点に接続し、前記第１の機械スイッチの第１側の第２の接点は、前記第１の機械スイッチの第２側の第５の接点に接続し、前記第２の機械スイッチの第１側の第１の接点は、前記第２の機械スイッチの第２側の第３の接点に接続し、前記第２の機械スイッチの第１側の第２の接点は、前記第２の機械スイッチの第２側の第５の接点に接続することを特徴とする請求項１に記載のシングルライブワイヤ電気取得装置。
【請求項７】
前記第１のライブワイヤ出力端は、第１の照明器具に接続し、前記第２のライブワイヤ出力端は、第２の照明器具に接続することを特徴とする請求項１に記載のシングルライブワイヤ電気取得装置。
【請求項８】
前記第１の調光回路と前記第２の調光回路は、いずれもサイリスタ回路であることを特徴とする請求項１に記載のシングルライブワイヤ電気取得装置。
【請求項９】
請求項１に記載のシングルライブワイヤ電気取得装置を制御するための方法であって、
前記第１の機械スイッチの第１側の第１の接点が前記第１の機械スイッチの第２側の第４の接点に接続するように制御し、前記第１の機械スイッチの第１側の第２の接点が前記第１の機械スイッチの第２側の第６の接点に接続するように制御し、前記第２の機械スイッチの第１側の第１の接点が前記第２の機械スイッチの第２側の第４の接点に接続するように制御し、前記第２の機械スイッチの第１側の第２の接点が前記第２の機械スイッチの第２側の第６の接点に接続するように制御することを含み、または、
前記第１の機械スイッチの第１側の第１の接点が前記第１の機械スイッチの第２側の第３の接点に接続するように制御し、前記第１の機械スイッチの第１側の第２の接点が前記第１の機械スイッチの第２側の第５の接点に接続するように制御し、前記第２の機械スイッチの第１側の第１の接点が前記第２の機械スイッチの第２側の第４の接点に接続するように制御し、前記第２の機械スイッチの第１側の第２の接点が前記第２の機械スイッチの第２側の第６の接点に接続するように制御することを含み、または、
前記第１の機械スイッチの第１側の第１の接点が前記第１の機械スイッチの第２側の第４の接点に接続するように制御し、前記第１の機械スイッチの第１側の第２の接点が前記第１の機械スイッチの第２側の第６の接点に接続するように制御し、前記第２の機械スイッチの第１側の第１の接点が前記第２の機械スイッチの第２側の第３の接点に接続するように制御し、前記第２の機械スイッチの第１側の第２の接点が前記第２の機械スイッチの第２側の第５の接点に接続するように制御することを含み、または、
前記第１の機械スイッチの第１側の第１の接点が前記第１の機械スイッチの第２側の第３の接点に接続するように制御し、前記第１の機械スイッチの第１側の第２の接点が前記第１の機械スイッチの第２側の第５の接点に接続するように制御し、前記第２の機械スイッチの第１側の第１の接点が前記第２の機械スイッチの第２側の第３の接点に接続するように制御し、前記第２の機械スイッチの第１側の第２の接点が前記第２の機械スイッチの第２側の第５の接点に接続するように制御することを含むことを特徴とする方法。
【請求項１０】
請求項１〜８のうちいずれか１項に記載のシングルライブワイヤ電気取得装置を含むことを特徴とする照明システム。
【発明の詳細な説明】
【技術分野】
【０００１】
本発明は、スマートホームの技術分野に係り、具体的には、照明システム、シングルライブワイヤ電気取得装置及びその制御方法に係る。
【背景技術】
【０００２】
スマートホームが日に日に普及することに伴い、伝統的な照明スイッチをスマート照明スイッチに改良する必要がある。しかしながら、一般家庭の配線がほとんどシングルライブワイヤ（Ｓｉｎｇｌｅ Ｌｉｖｅ Ｗｉｒｅ）であるため、伝統的な照明スイッチをスマート照明スイッチに置き換える場合、シングルライブワイヤ電気取得技術を使用する必要がある。
【０００３】
従来のスマート照明スイッチは、電子遮断型と完全遮断型の２種類に分けても良い。電子遮断は、半導体スイッチデイバスによって非周期性、適正な機能特性を実現する遮断であり、完全遮断は、接点間の間隔が適宜になる適正な機能特性を実現する遮断であり、基本絶縁に相当する。シングルライブワイヤ電気取得技術を電子遮断型のスマート照明スイッチに応用する場合、スイッチが遮断された時に、線路にリーク電流があるため、照明器具が閉じられた後に点滅または薄明るいなど問題があり、且つ安全性が悪い。
【０００４】
シングルライブワイヤ電気取得技術を完全遮断型のスマート照明スイッチに応用する場合、スイッチが遮断された時に線路にリーク電流がないが、この場合、シングルライブワイヤ電気取得回路が１路スイッチのみに応用でき、マルチスイッチが必要になる場合、各路スイッチのそれぞれがシングルライブワイヤ電気取得回路を有しなければならないし、また、各路スイッチのシングルライブワイヤ電気取得回路を出力端で分離した後に並列して出力することが必要になり、コストが高くなる。
【０００５】
なお、上記の背景技術に開示された情報は、本発明の背景に対して理解を強めるもののみであるため、当業者に対する既知の従来技術にならない情報を含んでも良い。
【発明の概要】
【発明が解決しようとする課題】
【０００６】
本発明は、相関技術の制限及び欠点による１つまたは複数の問題を少なくともある程度に克服するように、シングルライブワイヤ電気取得装置及び当該シングルライブワイヤ電気取得装置の制御方法を提供することを目的とする。
【課題を解決するための手段】
【０００７】
第１の局面において、本発明は、シングルライブワイヤ電気取得装置を提供し、当該シングルライブワイヤ電気取得装置は、
第１側の第１の接点がライブワイヤ入力端に接続し、第２側の第３の接点が第１の調光回路の第１端に接続し、第２側の第５の接点が第１のライブワイヤ出力端及び前記第１の調光回路の第２端に接続する第１の機械スイッチと、
第１側の第１の接点が前記ライブワイヤ入力端に接続し、第２側の第３の接点が第２の調光回路の第１端に接続し、第２側の第５の接点が第２のライブワイヤ出力端及び前記第２の調光回路の第２端に接続し、第２側の第６の接点が前記第１の機械スイッチの第１側の第２の接点に接続する第２の機械スイッチと、
第１端が前記ライブワイヤ入力端に接続し、第２端が前記第２の機械スイッチの第１側の第２の接点に接続し、第３端が前記第１の調光回路の第３端に接続し、第４端が前記第２の調光回路の第３端に接続するシングルライブワイヤ電気取得回路と、を含む。
【０００８】
本発明の１つの例示的な実施例において、前記第１の機械スイッチと前記第２の機械スイッチは、いずれも双極双投の機械スイッチである。
【０００９】
本発明の１つの例示的な実施例において、前記第１の機械スイッチと前記第２の機械スイッチがいずれも遮断された場合、前記第１の機械スイッチの第１側の第１の接点は、前記第１の機械スイッチの第２側の第４の接点に接続し、前記第１の機械スイッチの第１側の第２の接点は、前記第１の機械スイッチの第２側の第６の接点に接続し、前記第２の機械スイッチの第１側の第１の接点は、前記第２の機械スイッチの第２側の第４の接点に接続し、前記第２の機械スイッチの第１側の第２の接点は、前記第２の機械スイッチの第２側の第６の接点に接続する。
【００１０】
本発明の１つの例示的な実施例において、前記第１の機械スイッチが閉合され且つ前記第２の機械スイッチが遮断された場合、前記第１の機械スイッチの第１側の第１の接点は、前記第１の機械スイッチの第２側の第３の接点に接続し、前記第１の機械スイッチの第１側の第２の接点は、前記第１の機械スイッチの第２側の第５の接点に接続し、前記第２の機械スイッチの第１側の第１の接点は、前記第２の機械スイッチの第２側の第４の接点に接続し、前記第２の機械スイッチの第１側の第２の接点は、前記第２の機械スイッチの第２側の第６の接点に接続する。
【００１１】
本発明の１つの例示的な実施例において、前記第１の機械スイッチが遮断され且つ前記第２の機械スイッチが閉合された場合、前記第１の機械スイッチの第１側の第１の接点は、前記第１の機械スイッチの第２側の第４の接点に接続し、前記第１の機械スイッチの第１側の第２の接点は、前記第１の機械スイッチの第２側の第６の接点に接続し、前記第２の機械スイッチの第１側の第１の接点は、前記第２の機械スイッチの第２側の第３の接点に接続し、前記第２の機械スイッチの第１側の第２の接点は、前記第２の機械スイッチの第２側の第５の接点に接続する。
【００１２】
本発明の１つの例示的な実施例において、前記第１の機械スイッチと前記第２の機械スイッチがいずれも閉合された場合、前記第１の機械スイッチの第１側の第１の接点は、前記第１の機械スイッチの第２側の第３の接点に接続し、前記第１の機械スイッチの第１側の第２の接点は、前記第１の機械スイッチの第２側の第５の接点に接続し、前記第２の機械スイッチの第１側の第１の接点は、前記第２の機械スイッチの第２側の第３の接点に接続し、前記第２の機械スイッチの第１側の第２の接点は、前記第２の機械スイッチの第２側の第５の接点に接続する。
【００１３】
本発明の１つの例示的な実施例において、前記第１のライブワイヤ出力端は、第１の照明器具に接続し、前記第２のライブワイヤ出力端は、第２の照明器具に接続する。
本発明の１つの例示的な実施例において、前記第１の調光回路と前記第２の調光回路は、いずれもサイリスタ回路である。
【００１４】
本発明の第２の局面において、本発明は、本発明の第１の局面に記載のシングルライブワイヤ電気取得装置を制御するための方法を提供し、当該方法は、
前記第１の機械スイッチの第１側の第１の接点が前記第１の機械スイッチの第２側の第４の接点に接続するように制御し、前記第１の機械スイッチの第１側の第２の接点が前記第１の機械スイッチの第２側の第６の接点に接続するように制御し、前記第２の機械スイッチの第１側の第１の接点が前記第２の機械スイッチの第２側の第４の接点に接続するように制御し、前記第２の機械スイッチの第１側の第２の接点が前記第２の機械スイッチの第２側の第６の接点に接続するように制御することを含み、または、
前記第１の機械スイッチの第１側の第１の接点が前記第１の機械スイッチの第２側の第３の接点に接続するように制御し、前記第１の機械スイッチの第１側の第２の接点が前記第１の機械スイッチの第２側の第５の接点に接続するように制御し、前記第２の機械スイッチの第１側の第１の接点が前記第２の機械スイッチの第２側の第４の接点に接続するように制御し、前記第２の機械スイッチの第１側の第２の接点が前記第２の機械スイッチの第２側の第６の接点に接続するように制御することを含み、または、
前記第１の機械スイッチの第１側の第１の接点が前記第１の機械スイッチの第２側の第４の接点に接続するように制御し、前記第１の機械スイッチの第１側の第２の接点が前記第１の機械スイッチの第２側の第６の接点に接続するように制御し、前記第２の機械スイッチの第１側の第１の接点が前記第２の機械スイッチの第２側の第３の接点に接続するように制御し、前記第２の機械スイッチの第１側の第２の接点が前記第２の機械スイッチの第２側の第５の接点に接続するように制御することを含み、または、
前記第１の機械スイッチの第１側の第１の接点が前記第１の機械スイッチの第２側の第３の接点に接続するように制御し、前記第１の機械スイッチの第１側の第２の接点が前記第１の機械スイッチの第２側の第５の接点に接続するように制御し、前記第２の機械スイッチの第１側の第１の接点が前記第２の機械スイッチの第２側の第３の接点に接続するように制御し、前記第２の機械スイッチの第１側の第２の接点が前記第２の機械スイッチの第２側の第５の接点に接続するように制御する。
【００１５】
本発明の第３の局面において、本発明は、照明システムを提供し、当該照明システムは、上記のいずれか１つのシングルライブワイヤ電気取得装置を含む。
【発明の効果】
【００１６】
本発明の例示的な実施例のシングルライブワイヤ電気取得装置及びシングルライブワイヤ電気取得方法によれば、１つのシングルライブワイヤ電気取得回路と２つの機械スイッチを採用し、シングルライブワイヤ電気取得回路は、動作を行う時に２つの機械スイッチのうちの１つの機械スイッチのみにより電気取得を行い、２路スイッチのシングルライブワイヤ電気取得を満足できる。一方、２路スイッチの場合、１つのシングルライブワイヤ電気取得回路を使用することのみによって、１つのシングルライブワイヤ電気取得回路を省略でき、他方、一つのシングルライブワイヤ電気取得回路のみがあり、且つシングルライブワイヤ電気取得回路が１つの機械スイッチのみにより電気取得を行うことによって、２つの分離回路を省略でき、なお、１つのシングルライブワイヤ電路及び２つの分離回路を減少するため、コストを節約し、製品の体積を減少できる。
なお、前記一般的な記載及び後述の詳細な記載は、単なる例示的で解釈的な記載であり、本発明を限定しない。
【図面の簡単な説明】
【００１７】
ここの図面は、明細書に組み入れて本明細書の一部分を構成し、本発明に該当する実施例を例示するとともに、明細書とともに本発明の原理を解釈する。なお、以下の記載における図面はただ本発明の一部の実施例に過ぎず、当業者の場合、創造的な労働を付与しない前提で、これらの図面によって他の図面を得ることができる。
【図１】単極単投スイッチを採用するシングルライブワイヤ電気取得装置の模式図を示す。
【図２】本発明の一例示的な実施例のシングルライブワイヤ電気取得装置の模式図を示す。
【図３】図２に示されるシングルライブワイヤ電気取得装置において第１の機械スイッチと第２の機械スイッチがいずれも遮断されたスイッチ状態の模式図を示す。
【図４】図２に示されるシングルライブワイヤ電気取得装置において第１の機械スイッチが閉合され且つ第２の機械スイッチが遮断されたスイッチ状態の模式図を示す。
【図５】図２に示されるシングルライブワイヤ電気取得装置において第１の機械スイッチが遮断され且つ第２の機械スイッチが閉合されたスイッチ状態の模式図を示す。
【図６】図２に示されるシングルライブワイヤ電気取得装置において第１の機械スイッチと第２の機械スイッチがいずれも閉合されたスイッチ状態の模式図を示す。
【発明を実施するための形態】
【００１８】
以下、図面を参照して例示的な実施例をより全面的に説明する。しかしながら、例示的な実施例は、複数の形態で実施でき、且つ、ここで説明する実施例に限定しない。逆に、これらの実施例を提供して本発明をより全面、完全になるようにすると共に、例示的な実施例の構想を当業者へ全面的に伝える。説明された特徴、構成または特性は、何れの適正な形態で１つ又は複数の実施例に結合しても良い。以下の説明において、多くの具体的な細部を提供することにより、本発明の実施例を十分に理解できる。しかしながら、当業者は、本発明の技術案を実践するために、前記特定細部のうちの１つまたは複数の細部を省略しても良い、または、他の方法、構成要素、装置、ステップ等を採用しても良い。その他の場合に、本発明のすべての点を不鮮明になることを避けるように、周知の技術案を詳細に表示または説明しない。
【００１９】
なお、図面は、本発明を模式的に示すもののみであり、必ずしも比例で描かない。図面における同一の符号は、同一または類似な部分を示すため、それらを繰り返し説明することを省略する。図面に示される一部分のブロック図は、機能エンティティであり、必ずしも物理または論理的に独立するエンティティに対応しない。ソフトウェア形態を採用してこれらの機能エンティティを実現しても良い、または、１つ又は複数のハードウェアモジュールや集積回路においてこれらの機能エンティティを実現しても良い、まはは、異なるインタネット及び/又はプロセッサ装置及び/又はマイクロコントローラー装置においてこれらの機能エンティティを実現しても良い。
【００２０】
完全遮断の２回路スマート照明スイッチの技術案において、単極単投スイッチが採用される。例えば、図１は、当該技術案において単極単投スイッチを採用するシングルライブワイヤ電気取得装置の模式図を示す。
【００２１】
図１に示すように、機械スイッチＳ１と機械スイッチＳ２は、それぞれ独立に動作を行い、２つの独立のシングルライブワイヤ電気取得回路が必要になる。更に、機械スイッチＳ１と機械スイッチＳ２がいずれも閉合されたスイッチ状態で、調光回路１と調光回路２を制御することには、シングルライブワイヤ電気取得回路１とシングルライブワイヤ電気取得回路２が同時に動作して互いに干渉し、調光回路を良く制御するために、分離回路１と分離回路２を設置してその２つのシングルライブワイヤ電気取得回路を互いに分離した後に、並列して出力する必要がある。
【００２２】
以下の表１において、図１に示されるシングルライブワイヤ電気取得装置の対応する機械スイッチの状態とシングルライブワイヤ電気取得回路の動作状態を示す。
【００２３】
【表１】
2018060767.tif 000003
【００２４】
表１から分かるように、機械スイッチＳ１と機械スイッチＳ２を組み合わせる４つのスイッチ状態で図１に示されるシングルライブワイヤ電気取得装置をいずれも正常に動作させることができるために、２つのシングルライブワイヤ電気取得回路及び２つの分離回路が必要になり、シングルライブワイヤ電気取得装置の体積が大きくなり、コストが高くなる。
【００２５】
本例示的な実施例において、まず、シングルライブワイヤ電気取得装置を提供する。図２を参照すると、当該シングルライブワイヤ電気取得装置は、機械スイッチＳ１と、機械スイッチＳ２と、シングルライブワイヤ電気取得回路とを含む。
【００２６】
ここで、機械スイッチＳ１は、第１側（例えば、図２における機械スイッチＳ１の左側）にある第１の接点Ｐ１及び第２の接点Ｐ２と、第２側（例えば、図２における機械スイッチＳ１の右側）にある第３の接点Ｐ３、第４の接点Ｐ４、第５の接点Ｐ５及び第６の接点Ｐ６とを含み、ここで、機械スイッチＳ１の第１側の第１の接点Ｐ１は、ライブワイヤ入力端Ｌｉｎに接続し、機械スイッチＳ１の第１側の第２の接点Ｐ２は、機械スイッチＳ２の第２側の第６の接点Ｐ６に接続し、機械スイッチＳ１の第２側の第３の接点Ｐ３は、調光回路１の第１端ＬＰ１に接続し、機械スイッチＳ１の第２側の第５の接点Ｐ５は、第１のライブワイヤ出力端Ｌｏｕｔ１及び調光回路１の第２端ＬＰ２に接続する。
【００２７】
機械スイッチＳ２は、第１側（例えば、図２における機械スイッチＳ２の左側）にある第１の接点Ｐ１及び第２の接点Ｐ２と、第２側（例えば、図２における機械スイッチＳ２の右側）にある第３の接点Ｐ３、第４の接点Ｐ４、第５の接点Ｐ５及び第６の接点Ｐ６とを含み、ここで、機械スイッチＳ２の第１側の第１の接点Ｐ１は、ライブワイヤ入力端Ｌｉｎに接続し、機械スイッチＳ２の第１側の第２の接点Ｐ２は、シングルライブワイヤ電気取得回路の第２端ＳＰ２に接続し、機械スイッチＳ２の第２側の第３の接点Ｐ３は、調光回路２の第１端ＬＰ１に接続し、機械スイッチＳ２の第２側の第５の接点Ｐ５は、第２のライブワイヤ出力端Ｌｏｕｔ２及び調光回路２の第２端ＬＰ２に接続し、機械スイッチＳ２の第２側の第６の接点Ｐ６は、機械スイッチＳ１の第１側の第２の接点Ｐ２に接続する。
【００２８】
本例示的な実施例において、シングルライブワイヤ電気取得回路は、第１端ＳＰ１と、第２端ＳＰ２と、第３端ＳＰ３と、第４端ＳＰ４とを含む。本例示的な実施例において、シングルライブワイヤ電気取得回路の第１端ＳＰ１は、ライブワイヤ入力端Ｌｉｎに接続し、シングルライブワイヤ電気取得回路の第２端ＳＰ２は、機械スイッチＳ２の第１側の第２の接点Ｐ２に接続し、シングルライブワイヤ電気取得回路の第３端ＳＰ３は、調光回路１の第３端ＬＰ３に接続し、シングルライブワイヤ電気取得回路の第４端ＳＰ４は、調光回路２の第３端ＬＰ３に接続する。
【００２９】
さらに、図２に示すように、機械スイッチＳ１と機械スイッチＳ２がいずれも双極双投の機械スイッチであることを例として、１つの機械スイッチのみが閉合された場合、シングルライブワイヤ電気取得回路は、閉合された１つの機械スイッチに基づいて、いずれも導通して動作を起動する。ただし、機械スイッチＳ１と機械スイッチＳ２がいずれも閉合された場合、シングルライブワイヤ電気取得回路は、機械スイッチＳ２のみに導通して動作を起動する。この時、シングルライブワイヤ電気取得回路は、機械スイッチＳ１に導通しないため、分離した後に並列して出力する必要がない。
【００３０】
以下の表２は、本例示的な実施例のシングルライブワイヤ電気取得装置の対応する機械スイッチの状態とシングルライブワイヤ電気取得回路の動作状態を示す。
【００３１】
【表２】
2018060767.tif 000004
【００３２】
表２から分かるように、本例示的な実施例の技術案を採用した後、シングルライブワイヤ電気取得回路は、対応する４つの機械スイッチの状態でいずれも正常に動作できる。
【００３３】
つまり、本例示的な実施例のシングルライブワイヤ電気取得装置によれば、完全遮断型のスマート照明スイッチの場合、１つのシングルライブワイヤ電気取得回路と２つの機械スイッチを採用し、シングルライブワイヤ電気取得回路は、動作を行う時に２つの機械スイッチのうちの１つの機械スイッチのみにより電気取得を行い、２路スイッチのシングルライブワイヤ電気取得を満足できる。一方、２路スイッチの場合、１つのシングルライブワイヤ電気取得回路を使用することのみによって、１つのシングルライブワイヤ電気取得回路を省略でき、他方、１つのシングルライブワイヤ電気取得回路のみがあり、且つシングルライブワイヤ電気取得回路が１つの機械スイッチのみにより電気取得を行うことによって、２つの分離回路を省略でき、なお、１つの単線回路及び２つの分離回路を減少するため、コストを節約し、製品の体積を減少できる。
【００３４】
さらに、本例示的な実施例において、シングルライブワイヤ電気取得回路が採用する電気取得方式は、変圧器にて電源変換を行うことにより電気取得を行う方式と超低消費電力のシングルライブワイヤ電源モジュール等を採用する方式を含んでも良い、ただし、本発明の例示的な実施例に係るシングルライブワイヤ電気取得方式は、それに限定しない、シングルライブワイヤ電気取得機能を実現できる各種のシングルライブワイヤ電気取得方式も本発明の保護範囲にある。例えば、変圧器にて電源変換を行うことにより電気取得を行うことは、先に回路電流に対して整流を行い、その後、電子変圧器にてＤＣ−ＤＣ変換を行うことにより得られた直流を制御電流とする。超低消費電力のシングルライブワイヤ電源モジュールは、シングルライブワイヤ電気取得モジュールＰＩ−３Ｖ３−Ｂ４と、シングルライブワイヤ電気取得モジュールＰＩ−０５Ｖ−Ｄ４と、シングルライブワイヤ電気取得モジュールＰＩ−０５Ｖ−Ｐ４となどを含んでも良い、ただし、本発明の例示的な実施例に係るシングルライブワイヤ電源モジュールは、それに限定しない、例えば、シングルライブワイヤ電気取得モジュールＰＩ−０３Ｖ−Ｐ４、ＰＩ−０５Ｖ−Ｂ３などを更に含んでもよい。
【００３５】
本例示的な実施例において、第１のライブワイヤ出力端Ｌｏｕｔ１は、第１の照明器具に接続しても良い、第２のライブワイヤ出力端Ｌｏｕｔ２は、第２の照明器具に接続しても良い。第１の照明器具と第２の照明器具は、白熱灯、省エネランプ、ＬＥＤ灯等負荷であっても良い。なお、本発明の他の例示的な実施例において、第１のライブワイヤ出力端Ｌｏｕｔ１及び第２のライブワイヤ出力端Ｌｏｕｔ２は、他のタイプの負荷であっても良い、これも本発明の保護範囲に属する。
【００３６】
さらに、上記の調光回路１と調光回路２は、いずれもサイリスタ回路であってもよく、本例示的な実施例において、シングルライブワイヤ電気取得回路にてサイリスタの導通角を制御して照明器具の輝度を調節しても良い。ただし、本発明の例示的な実施例における調光回路は、それに限定しない、例えば、調光回路は、制御可能なリレー、専用制御ＩＣ等であっても良い。
【００３７】
以下、図３〜図６を参照して本例示的な実施例に係るシングルライブワイヤ電気取得装置の動作状態をより詳細に説明する。
【００３８】
図３は、図２に示されるシングルライブワイヤ電気取得装置において機械スイッチＳ１及び機械スイッチＳ２がいずれも遮断されたスイッチ状態の模式図を示す。
【００３９】
図３に示すように、機械スイッチＳ１と機械スイッチＳ２がいずれも遮断された場合、機械スイッチＳ１の第１側の第１の接点Ｐ１は、機械スイッチＳ１の第２側の第４の接点ＳＰ４に接続し、機械スイッチＳ１の第１側の第２の接点Ｐ２は、機械スイッチＳ１の第２側の第６の接点Ｐ６に接続し、機械スイッチＳ２の第１側の第１の接点Ｐ１は、機械スイッチＳ２の第２側の第４の接点ＳＰ４に接続し、機械スイッチＳ２の第１側の第２の接点Ｐ２は、機械スイッチＳ２の第２側の第６の接点Ｐ６に接続する。
【００４０】
図３から分かるように、シングルライブワイヤ電気取得回路の第１端ＳＰ１〜第４端ＳＰ４において、第１端ＳＰ１のみがライブワイヤ入力端Ｌｉｎに接続し、他の３つの端がいずれもライブワイヤ出力端に接続しないため、シングルライブワイヤ電気取得回路は、当該スイッチ状態で電気取得動作を行わない。
【００４１】
図４は、図２に示されるシングルライブワイヤ電気取得装置において機械スイッチＳ１が閉合され且つ機械スイッチＳ２が遮断されたスイッチ状態の模式図を示す。
【００４２】
図４に示すように、機械スイッチＳ１が閉合され且つ機械スイッチＳ２が遮断された場合、機械スイッチＳ１の第１側の第１の接点Ｐ１は、機械スイッチＳ１の第２側の第３の接点Ｐ３に接続し、機械スイッチＳ１の第１側の第２の接点Ｐ２は、機械スイッチＳ１の第２側の第５の接点Ｐ５に接続し、機械スイッチＳ２の第１側の第１の接点Ｐ１は、機械スイッチＳ２の第２側の第４の接点ＳＰ４に接続し、機械スイッチＳ２の第１側の第２の接点Ｐ２は、機械スイッチＳ２の第２側の第６の接点Ｐ６に接続する。
【００４３】
図４から分かるように、シングルライブワイヤ電気取得回路の第１端ＳＰ１は、ライブワイヤ入力端Ｌｉｎに接続し、シングルライブワイヤ電気取得回路の第２端ＳＰ２は、機械スイッチＳ２の第２の接点Ｐ２及び第６の接点Ｐ６によって機械スイッチＳ１の第２の接点Ｐ２及び第５の接点Ｐ５に接続し、機械スイッチＳ１の第５の接点Ｐ５がライブワイヤ出力端Ｌｏｕｔ１に接続するため、シングルライブワイヤ電気取得回路の第２端ＳＰ２がライブワイヤ出力端Ｌｏｕｔ１に接続することにより、シングルライブワイヤ電気取得回路は、機械スイッチＳ１により電気取得動作を行うことができる。
【００４４】
図５は、図２に示されるシングルライブワイヤ電気取得装置において機械スイッチＳ１が遮断され且つ機械スイッチＳ２が閉合されたスイッチ状態の模式図を示す。
【００４５】
図５に示すように、機械スイッチＳ１が遮断され且つ機械スイッチＳ２が閉合された場合、機械スイッチＳ１の第１側の第１の接点Ｐ１は、機械スイッチＳ１の第２側の第４の接点ＳＰ４に接続し、機械スイッチＳ１の第１側の第２の接点Ｐ２は、機械スイッチＳ１の第２側の第６の接点Ｐ６に接続し、機械スイッチＳ２の第１側の第１の接点Ｐ１は、機械スイッチＳ２の第２側の第３の接点Ｐ３に接続し、機械スイッチＳ２の第１側の第２の接点Ｐ２は、機械スイッチＳ２の第２側の第５の接点Ｐ５に接続する。
【００４６】
図５から分かるように、シングルライブワイヤ電気取得回路の第１端ＳＰ１は、ライブワイヤ入力端Ｌｉｎに接続し、シングルライブワイヤ電気取得回路の第２端ＳＰ２は、機械スイッチＳ２の第２の接点Ｐ２によって機械スイッチＳ２の第５の接点Ｐ５に接続し、機械スイッチＳ２の第５の接点Ｐ５がライブワイヤ出力端Ｌｏｕｔ２に接続するため、シングルライブワイヤ電気取得回路の第２端ＳＰ２がライブワイヤ出力端Ｌｏｕｔ２に接続することにより、シングルライブワイヤ電気取得回路は、機械スイッチＳ２により電気取得動作を行うことができる。
【００４７】
図６は、図２に示されるシングルライブワイヤ電気取得装置において機械スイッチＳ１と機械スイッチＳ２がいずれも閉合されたスイッチ状態の模式図を示す。
【００４８】
図６に示すように、機械スイッチＳ１と前記第２の機械スイッチがいずれも閉合された場合、機械スイッチＳ１の第１側の第１の接点Ｐ１は、機械スイッチＳ１の第２側の第３の接点Ｐ３に接続し、機械スイッチＳ１の第１側の第２の接点Ｐ２は、機械スイッチＳ１の第２側の第５の接点Ｐ５に接続し、機械スイッチＳ２の第１側の第１の接点Ｐ１は、機械スイッチＳ２の第２側の第３の接点Ｐ３に接続し、機械スイッチＳ２の第１側の第２の接点Ｐ２は、機械スイッチＳ２の第２側の第５の接点Ｐ５に接続する。
【００４９】
図６から分かるように、機械スイッチＳ１と前記第２の機械スイッチがいずれも閉合された場合、図５に類似するように、シングルライブワイヤ電気取得回路の第１端ＳＰ１は、ライブワイヤ入力端Ｌｉｎに接続し、シングルライブワイヤ電気取得回路の第２端ＳＰ２は、機械スイッチＳ２の第２の接点Ｐ２によって機械スイッチＳ２の第５の接点Ｐ５に接続し、機械スイッチＳ２の第５の接点Ｐ５がライブワイヤ出力端Ｌｏｕｔ２に接続するため、シングルライブワイヤ電気取得回路の第２端ＳＰ２がライブワイヤ出力端Ｌｏｕｔ２に接続することにより、シングルライブワイヤ電気取得回路は、機械スイッチＳ２により電気取得動作を行うことができる。
【００５０】
さらに、機械スイッチＳ１と前記第２の機械スイッチがいずれも閉合された場合、シングルライブワイヤ電気取得回路の第２端ＳＰ２及び機械スイッチＳ１が導通されず、機械スイッチＳ１の回路の操作は、シングルライブワイヤ電気取得回路に干渉しないため、回路を分離する必要がない。
【００５１】
以上から分かるように、本例示的な実施例に係るシングルライブワイヤ電気取得装置の対応する機械スイッチの状態とシングルライブワイヤ電気取得回路の動作状態をまとめて以下の表３に示される。
【００５２】
【表３】
2018060767.tif 000005
【００５３】
さらに、本例示的な実施例は、図２に示されるシングルライブワイヤ電気取得装置を制御するための方法を更に提供する。
【００５４】
当該方法は、機械スイッチＳ１の第１側の第１の接点Ｐ１が機械スイッチＳ１の第２側の第４の接点Ｐ４に接続するように制御し、機械スイッチＳ１の第１側の第２の接点Ｐ２が機械スイッチＳ１の第２側の第６の接点Ｐ６に接続するように制御し、機械スイッチＳ２の第１側の第１の接点Ｐ１が機械スイッチＳ２の第２側の第４の接点Ｐ４に接続するように制御し、機械スイッチＳ２の第１側の第２の接点Ｐ２が機械スイッチＳ２の第２側の第６の接点Ｐ６に接続するように制御することを含み、または、
機械スイッチＳ１の第１側の第１の接点Ｐ１が機械スイッチＳ１の第２側の第３の接点Ｐ３に接続するように制御し、機械スイッチＳ１の第１側の第２の接点Ｐ２が機械スイッチＳ１の第２側の第５の接点Ｐ５に接続するように制御し、機械スイッチＳ２の第１側の第１の接点Ｐ１が機械スイッチＳ２の第２側の第４の接点Ｐ４に接続するように制御し、機械スイッチＳ２の第１側の第２の接点Ｐ２が機械スイッチＳ２の第２側の第６の接点Ｐ６に接続するように制御することを含み、または、
機械スイッチＳ１の第１側の第１の接点Ｐ１が機械スイッチＳ１の第２側の第４の接点Ｐ４に接続するように制御し、機械スイッチＳ１の第１側の第２の接点Ｐ２が機械スイッチＳ１の第２側の第６の接点Ｐ６に接続するように制御し、機械スイッチＳ２の第１側の第１の接点Ｐ１が機械スイッチＳ２の第２側の第３の接点Ｐ３に接続するように制御し、機械スイッチＳ２の第１側の第２の接点Ｐ２が機械スイッチＳ２の第２側の第５の接点Ｐ５に接続するように制御することを含み、または、
機械スイッチＳ１の第１側の第１の接点Ｐ１が機械スイッチＳ１の第２側の第３の接点Ｐ３に接続するように制御し、機械スイッチＳ１の第１側の第２の接点Ｐ２が機械スイッチＳ１の第２側の第５の接点Ｐ５に接続するように制御し、機械スイッチＳ２の第１側の第１の接点Ｐ１が機械スイッチＳ２の第２側の第３の接点Ｐ３に接続するように制御し、機械スイッチＳ２の第１側の第２の接点Ｐ２が機械スイッチＳ２の第２側の第５の接点Ｐ５に接続するように制御することを含んでもよい。
【００５５】
さらに、本発明の他の例示的な実施例は、照明システムを提供し、当該照明システムは、前記実施例のうちの何れか１つのシングルライブワイヤ電気取得装置を含んでもよい。なお、当該照明システムは、調光回路１と調光回路２とを更に含んでも良い。調光回路１と調光回路２は、いずれもサイリスタ回路であってもよい、ただし、本発明の例示的な実施例における調光回路は、それに限定しない、例えば、調光回路は、制御可能なリレー、専用制御ＩＣ等であってもよい。本例示的な実施形態における照明システムが上記のシングルライブワイヤ電気取得装置を採用したので、前記シングルライブワイヤ電気取得装置に対応する長所を少なくとも有する。
【００５６】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。
【００５７】
明細書及び実施例は、単に例示的なものであって、本発明の本当の範囲と主旨は、以下の特許請求の範囲によって示される。
【図１】
2018060767.tif 000006
【図２】
2018060767.tif 000007
【図３】
2018060767.tif 000008
【図４】
2018060767.tif 000009
【図５】
2018060767.tif 000010
【図６】
2018060767.tif 000011